(57)【特許請求の範囲】
【請求項１】
前面バッフルとウーファ２との間にバスレフポート８用の隙間を形成し、かつこの隙間の少なくとも２ケ所以上に弾性体９を設けるとともに、前記ウーファ２の磁気回路とハニカム構造体からなるリヤバッフル５との間にハニカム積層板６を設け、かつリヤバッフル５側から前記ハニカム積層板６、磁気回路側へスピーカ固定ネジ７を螺設して、前記ウーファ２を固定したことを特徴とするスピーカシステム。
【請求項２】
バスレフポート８は、ウーファ２の前面外周部の背面から後方に向かって延び、かつ後端が外側に向かってＬ字状に折曲されたフランジ状のＬ字曲げ部２ａと、これと離間対向して前面バッフルの開口部外周側に後方に向かって設けられたリング部材１１とによって形成された請求項１記載のスピーカシステム。
【請求項３】
バスレフポート８は、前面バッフルの開口部の背面から後方に向かって延び、かつ後端がウーファ２側に向かってＬ字状に折曲されたフランジ状のＬ字曲げ部と、これと離間対向してウーファ２の前面外周部の背面側に後方に向かって設けられたリング部材とによって形成された請求項１記載のスピーカシステム。
【請求項４】
バスレフポート８は、前面バッフルの開口部の外周の縁の背面部分やウーファ２の前面外周部の一部をフランジ状に形成し、背面側に延びる直線部８ａと外周側に延びる垂直部８ｂとのＬ字状の隙間からなる請求項１記載のスピーカシステム。
【発明の詳細な説明】
【０００１】
【産業上の利用分野】
本発明はスピーカシステム、詳しくは重量のあるウーファの如きスピーカの支持固定にかかり、全体としての重量を軽量にして音質の良好なスピーカシステムに関する。
【０００２】
【従来の技術】
従来、ウーファの磁気回路の振動を防止しつつそれを支持固定する方法については種々の提案が行われている。
図３はその一例を示すもので、ウーファ１６の磁気回路１２の後部にパイプまたは棒状の補強材１３を設けて裏板１４に支持固定する構造が用いられている。また、図４に示すように、ウーファ１６の磁気回路１２を置台兼固定台１５によって固定する構造もある。上記のこれらの構造によれば、支持部材そのものの重さも加わり、全体としてスピーカシステムの重量の増加を避けることはできず、また、強度も十分でないため、かえって特定の共振が強調されて十分な効果が出ていない欠点を伴っている。
また、重量の増加を防止するため、スピーカキャビネットをハニカム材を用いて構成したものとして、例えば実公昭６０−１７９９３号公報が提案されているが、この構造においては、スピーカキャビネットの軽量化を図ることができるが、ウーファの磁気回路の振動防止については何も解決されていない。
【０００３】
【発明が解決しようとする課題】
本発明は上記の欠点を解決するために提案されたもので、その目的は、ウーファの如きスピーカを軽量なハニカム積層板等で強固に支持固定し、軽量で、また音質の良好なスピーカシステムを提供することにある。
【０００４】
【課題を解決するための手段】
上記の目的を達成するため、本発明は、前面バッフルとウーファ２との間にバスレスポート８用の隙間を形成し、かつこの隙間の少なくとも２ケ所以上に弾性体９を設けるとともに、前記ウーファ２の磁気回路とハニカム構造体からなるリヤバッフル５との間にハニカム積層板６を設け、かつリヤバッフル５側から前記ハニカム積層板６、磁気回路側へスピーカ固定ネジ７を螺設して、前記ウーファ２を固定した構成としている。
上記、バスレフポート８は、ウーファ２の前面外周部の背面から後方に向かって延び、かつ後端が外側に向かってＬ字状に折曲されたフランジ状のＬ字曲げ部２ａと、これと離間対向して前面バッフルの開口部外周側に後方に向かって設けられたリング部材１１とによって形成されている。
または、バスレフポート８は、前面バッフルの開口部の背面から後方に向かって延び、かつ後端がウーファ２側に向かってＬ字状に折曲されたフランジ状のＬ字曲げ部と、これと離間対向してウーファ２の前面外周部の背面側に後方に向かって設けられたリング部材とによって形成されている。
または、バスレフポート８は、前面バッフルの開口部の外周の縁の背面部分やウーファ２の前面外周部の一部をフランジ状に形成し、背面側に延びる直線部８ａと外周側に延びる垂直部８ｂとのＬ字状の隙間からなっている。
【０００５】
【作用】
本発明ではウーファ２の磁気回路とリヤバッフル５との間に、軽量であって強固なアルミ製のハニカム構造体を複数枚サンドイッチ状に積層してなるハニカム積層板６を用い、ウーファ２を固定するようにしている。
また、リヤバッフル５も軽量であって十分な強度を有するハニカム構造体としているため、重量の増加を少なくしている。
そして、リヤバッフル５の外側からハニカム積層板６を貫通し、磁気回路のヨーク４側へスピーカ固定ネジ７を螺設し、ウーファ２を強固に固定するようにしている。したがって、ウーファ２の取付作業が楽であり、かつウーファ２を強固に固定しているため、特定の共振が強調されることがない。
また、ウーファの全周と前面バッフルとの間にバスレフポート８として隙間を設け、この隙間の少なくとも２ケ所以上に設けた弾性体で両者を半固定することにより、バッフルの共振を低下させ、全体として良好な音質を得ることができる。
さらに振動板周辺にリング状のバスレフポート８を配置することで、振動板から放射される音波との合成がなめらかとなるため、従来の丸孔式ポートのように１ケ所の孔から出ている不自然な強調された低音感が改善されることも特徴である。
このバスレフポート８としては、後端にＬ字曲げ部を有するリング状の部材や、リング部材とによって形成し、ポートの有効長を長くして所望の特性を得るようにし、かつＬ字曲げ部によりスピーカ背面からの中高音域の音洩れを防止するようにしている。
あるいは、図２に示すように、構成を簡素化してコスト高を招くことがないようにしいている。
【０００６】
【実施例】
次に本発明の実施例について説明する。
図１は本発明のスピーカシステムの構成を示すもので、図において、１は箱形のスピーカキャビネット、２はウーファ、３は同ウーファの磁気回路を構成するマグネット、４はヨーク、５はリヤバッフルで、軽量で強固なアルミ製のハニカム構造体にて形成されている。６はアルミハニカム構造体をサンドイッチ状に積層してなるハニカム積層板で、ヨーク４とリアバッフル５との間に設け、例えば２本のスピーカ固定ネジ７によって締め付け固定するものである。
【０００７】
このスピーカ固定ネジ７は、リヤバッフル５の外側からハニカム積層板６を貫通してウーファ２の磁気回路のヨーク４に形成したネジ穴に螺設されるものである。
【０００８】
スピーカシステムの組立てにあたっては、キャビネット１の前面バッフルにツイータ１０を取付ける。また、リヤバッフル５にハニカム積層板６を介してウーファ２を取付け、これをキャビネット１内に収納させるなどすれば良い。このように、本発明ではウーファ２の組込み性にも優れている。
【０００９】
８は低音を増強する機能を有するバスレフポートで、ウーファ２の前部とキャビネット１の前面バッフルとの間にリング状に隙間を設けて形成され、この隙間の少なくとも２カ所以上に弾性体９を充填し、両者を半固定して補強し、かつ前面バッフルの共振を低下させるようにしている。
【００１０】
なお、この例においてバスレフポート８は、図１に示すように、前面外周部の背面から後方に向かって延び、かつ後端が外側に向かってＬ字状に折曲されたフランジ状のＬ字曲げ部２ａと、これと離間対向して前面バッフルの開口部の外周部に設けたリング部材１１とによって形成されている。また、これとは逆に、外側のリング部材１１を長くし、かつ後端を内側に直角に屈曲してＬ字曲げ部を形成し、ウーファ２の前面外周部の背面側から後方に向かって延びる部材の形状をリング状の単純形状としても良い。このように構成し、Ｌ字曲げ部２ａを長くとることで、バスレフポート８の有効長を長く出来るので、バスレフポート８の共振周波数のコントロール巾が広くなり、優れた低音性能を得ることができる。また、スピーカ背面からの中高音域の音洩れを軽減できる。
【００１１】
また、弾性体９はＬ字曲げ部２ａとリング部材１１の後端の隙間部分に少なくとも２以上設けられている。設ける位置は上下１ケ所もしくは左右１ケ所または適間隔で３ケ所以上等である。この弾性体９の材質としては、ポリノルボルネン（商品名ノーソレックス）を用いると、ゴム強度３０〜７０ポイントでｔａｎδが大きいため、少量でも振動吸収効果が高く、ゴム復元力も高いので、長期にわたって安定した特性が得られ好ましい。勿論、他の代替品であってもよい。
【００１２】
図２はバスレフポート８の他の例である。この例では、前面バッフルの開口部の外周の縁の背面部分やウーファ２の前面外周部の一部をフランジ状に形成し、背面側に延びる直線部８ａと外周側に延びる垂直部８ｂとによりＬ字状の隙間からなるバスレフポート８を形成し、垂直部８ｂの少なくとも２ケ所以上に弾性体９を設けている。この場合、リング部材１１が不要となり、その分のコスト高を防止できる。
【００１３】
叙上のように本発明においては、ウーファ２を固定するために、いわゆるハニカム構造体の板を重ね合わせてなるハニカム積層板６を介し、これをスピーカ固定ネジ７によってリヤバッフル５側から固定してあるため、従来の支持固定方法に比べて支持固定部分の重量を軽減し、かつ十分な強度を得ることができる。
【００１４】
表１にハニカム構造体と他の材料との強度比較を示す。
0003576258.tif 000002
なお、上記ハニカム構造体の板は
ハニカム材  ：  Ａ５０５２Ｐ，３０Ｐセルサイズ６．３５ｍｍ
スキン材    ：  Ａ５０５２Ｐ  ０．８ｍｍ
の組合せで構成し、この単位巾当りの曲げ剛性は２．６６×１０５  Ｋｇｃｍ２  ／ｃｍで一定である。
【００１５】
以上のように、本発明においては、重量を大巾に増加させることなく、強固な支持固定ができ、図３および図４に示した構成のものと比較して非常に有利である。本発明のスピーカシステムはハイファイ用、ＰＡ用等に広く利用することが可能である。
【００１６】
【発明の効果】
本発明は、ウーファ２を軽量であって十分な強度を有するハニカム積層板６を介し、同じくハニカム構造体からなるリヤバッフル５にスピーカ固定ネジ７を用いて堅固に固定したため、重量増大を招くことなく、かつ特定の共振が極めて少ない、という効果がある。
また、これと相俟って前面バッフルとウーファ２の前部との間にリング状のバスレフポート８を形成し、そこに弾性体９を介在させてあるため、前面バッフルの共振を低下させてあるので、音質の劣化を防止し得、かつバスレフポート８はＬ字曲げ部を有するほぼリング状の部材からなり、このＬ字曲げ部によりバスレフポートの有効長を長くでき、所望の低音性能を得ることができる。加えて、Ｌ字曲げ部によってスピーカ背面よりの中高音域の音洩れを防止できる効果がある。
また、バスレフポートは、バッフルの開口部の外周の縁の背面部分やウーファ２の前面外周部の一部を直接フランジ状に形成し、背面側に延びる直線部８ａと外周側に延びる垂直部８ｂとのＬ字状の隙間にて形成すると、リング部材が不要となり、その分コスト高を抑えることができる。
【図面の簡単な説明】
【図１】本発明のスピーカシステムの断面図である。
【図２】バスレフポートの他の実施例を示す。
【図３】従来例を示す
【図４】従来例を示す。
【符号の説明】
１    スピーカキャビネット
２    ウーファ
３    マグネット
４    ヨーク
５    リヤバッフル
６    ハニカム積層板
７    スピーカ用固定ネジ
８    バスレフポート
９    弾性体
１０    ツイータ
１１    リング部材
【図１】
0003576258.tif 000003
【図２】
0003576258.tif 000004
【図３】
0003576258.tif 000005
【図４】
0003576258.tif 000006